(57)【要約】【課題】  犯罪者に対し、証拠となる人物特定が容易であることを意識させ、犯罪の抑止効果を高める。【解決手段】  児童が危険を感じたときに、現場の詳細な画像データと音声データを記録し、携帯電話等の通信手段を介してインターネット上のデータ保存装置に記録する。現場のデータを収集するため、データ収集部２０には、略均等間隔をもって同心円上に配した三個以上の撮像カメラ２１〜２３とマイクロフォン装置２５〜２７を設け、犯行現場の３６０度の画像データと音声データを記録する。児童の表情と声、犯行者の表情と声を、消去不能の状態で外部に保存する。【選択図】    図１
0003122297.tif 000002
【実用新案登録請求の範囲】
【請求項１】
データ収集部とデータ送出部と把持部とからなり、
データ収集部は、
略均等間隔をもって同心円上に配した三個以上の撮像カメラとマイクロフォン装置とを備え、
データ送出部は、
インターネット回線に接続可能な通信装置と、撮像カメラによって収集した画像データとマイクロフォン装置によって収集した音声データを、当該通信装置を介してインターネット回線上のデータ保存装置に記録させるデータ送出制御装置とを備える一方、
把持部は、
前記撮像カメラとマイクロフォン装置とを起動する押圧スイッチと、この押圧スイッチのオン操作により撮像カメラおよびマイクロフォン装置の駆動を制御する駆動制御装置とを備えることを特徴とする視聴覚データの収集装置。
【請求項２】
請求項１記載の視聴覚データの収集装置において、インターネット回線に接続可能な通信装置は、携帯電話装置とすることを特徴とする請求項１記載の視聴覚データの収集装置。
【請求項３】
撮像カメラとマイクロフォン装置とを起動する押圧スイッチは、把持部の外周部に略均等間隔をもって三個以上配することを特徴とする請求項１または請求項２記載の視聴覚データの収集装置。
【考案の詳細な説明】
【技術分野】
【０００１】
本考案は、視覚データと音声データとを記録する視聴覚データの記録装置に係り、とくに、誘拐事件等の犯罪状況を克明に記録保存するための装置に関する。
【背景技術】
【０００２】
児童や婦女子の拉致・誘拐・暴行事件や監禁事件が社会問題になっている。従来、このような問題に対処する技術的な提案としては、例えば特許文献１のように、携帯電話装置やＰＨＳ（登録商標；以下、携帯電話装置という）の発信電波に基づいて、センターのコンピュータ装置が電波の発信位置を刻々と記録することや、いわゆるＧＰＳ装置を用いた電波源の位置の追跡記録を行うことが知られている。
【０００３】
携帯電話装置やＧＰＳ搭載装置をもっている被害者（児童等）が、スイッチを操作して電波を発信することにより自身の位置を外部に知らせるならば、犯罪事件に遭遇した場合でも、速やかな救出を外部に求めることが出来る。
【特許文献１】特開２００２−０２７５２８
【考案の開示】
【考案が解決しようとする課題】
【０００４】
問題は、犯罪に遭遇したときに自身の位置を外部に知らせるだけでは、犯罪の防止効果が少なく、また犯罪の発生後の速やかな救出対応も難しいという点にある。
【０００５】
犯罪を未然に防止するためには、その犯罪の実行者が高い確率で証拠を伴って特定される可能性があることを犯罪者が理解することが必要である。ところが、従来の技術のように、事件の発生現場の位置や移動経路を特定できるというだけでは、実行犯の特定が難しい。このため、犯罪抑止力としての効果は薄い。
【０００６】
一方、犯罪の発生後、犯罪者は、被害者がもっている携帯電話装置やＧＰＳ装置をいちはやく破壊するか、路傍や下水口に捨てる可能性が少なくない。このような状況では、位置の移動追跡も不可能になるし、犯罪者の特定も出来ない。速やかな救出は困難になる。
【０００７】
そこで、本考案の目的は、犯罪者に対して、証拠となる人物特定が容易であることを知らしめることによって、犯罪を未然に防止し、万一の犯罪発生時には速やかな救出措置をとることが出来るようにすることにある。
【課題を解決するための手段】
【０００８】
前記目的を達成するため、本考案に係る視聴覚データの収集装置は、データ収集部とデータ送出部と把持部とからなり、データ収集部は、略均等間隔をもって同心円上に配した三個以上の撮像カメラとマイクロフォン装置とを備え、データ送出部は、インターネット回線に接続可能な通信装置と、撮像カメラによって収集した画像データとマイクロフォン装置によって収集した音声データを、当該通信装置を介してインターネット回線上のデータ保存装置に記録させるデータ送出制御装置とを備える一方、把持部は、前記撮像カメラとマイクロフォンとを起動する押圧スイッチと、この押圧スイッチのオン操作により撮像カメラおよびマイクロフォンの駆動を制御する駆動制御装置とを備える（請求項１）。
【０００９】
かかる構成によれば、略均等間隔をもって同心円上に配した三個以上の撮像カメラとマイクロフォン装置が、犯罪者、被害者、および犯行現場の周囲の画像データと音声データを収集し、直ちに通信装置を介してインターネット回線上のデータ保存装置に記録する。
【００１０】
１２０度以内の角度をもって配した三個以上の撮像カメラとマイクロフォン装置は、被害者がどのような角度（向き）で作動させても、加害者、被害者、および周囲の画像と音声を瞬時に取得して、データの削除が出来ない外部装置に記録される。この結果、本装置を手に持っている児童や婦女子に対して犯行を行うと、画像データと音声データにより証拠が残ることを犯罪者は十分に認識し、犯行を思いとどまる可能性が高い。
【００１１】
請求項２は、インターネット回線に接続可能な通信装置として、携帯電話装置を利用するものである。
【００１２】
インターネット上のサーバ装置等に画像データや音声データを記録するだけならば、装置本体の内部に通信装置を内蔵搭載しても良い。しかしながら、携帯電話装置の高い普及率の現状を踏まえれば、通信装置を搭載させて装置コストを無用に高めるよりも、各自が普通に使用している携帯電話装置を利用して外部のサーバ装置等に画像データや音声データを保存可能な装置構成とすることが望ましい。通信装置と装置本体とを別体に構成しても、取得したデータを電話回線（公衆回線）を介して無線電波により外部に保存するという機能は同じである。
【００１３】
請求項３は、撮像カメラとマイクロフォンとを起動する押圧スイッチを、把持部の外周部に略均等間隔をもって三個以上配するものである。
【００１４】
被害者は、緊急時のとっさの動作として、把持部を握りしめればよい。慌てているから、スイッチがどこにあるかを考える余裕もないときでも、把持部に押圧スイッチを三個以上配しておけば、ただ握りしめるだけで、いずれかひとつの押圧スイッチはオンの状態になる。これにより三個以上の撮像カメラとマイクロフォン装置が起動して、収集データは安全な外部装置に転送される。
【考案の効果】
【００１５】
本考案に係る装置によれば、証拠となる人物特定のデータを含めた犯罪状況のデータ収集と記録を行うことが出来るため、犯罪を未然に防止する抑止力となり、万一の犯罪発生時には速やかな救出措置を可能とする。
【考案を実施するための最良の形態】
【００１６】
図１〜図３は、本考案に係る視聴覚データの収集装置の実施形態を例示するものである。図３に示すように、この視聴覚データの収集装置１０は、例えば児童１が手２にもって通学路を歩き、見知らぬ者４から声をかけられたときのように、データを残しておくことが望ましい場合に当該状況の視聴覚データを記録保存するものである。
【００１７】
視聴覚データの保存は、インターネット上の保存装置（サーバ装置等）において行うため、インターネット回線に接続可能な通信装置を要する。この実施形態では、例えば、通信装置として例えば携帯電話装置７を児童１が携帯する。本装置（１０）の近傍箇所、例えば、腰回りのポケット、ランドセル、手荷物などに携帯電話７があれば微弱電波を利用して該携帯電話７を起動し、通信回線を接続して画像データおよび音声データを回線上の保存装置に直ちに転送し保存することが出来る。
【００１８】
次に、図１に基づいて外観構成を説明する。この視聴覚データの収集装置１０は、少なくとも外観構成としてデータ収集部２０と把持部３０とを備える。データ収集部２０と把持部３０は、例えば、いずれも略円筒形状をなし、データ収集部２０の外径を把持部３０の外径よりやや大きくデザインする。把持部３０は持ち易さを優先し、データ収集部２０は回路等の内部装置の充実を優先させるからである。
【００１９】
データ収集部２０には、平面略円形のケース体の外周に、略均等間隔をもって三個の撮像カメラ（カメラレンズ）２１〜２３とマイクロフォン装置２５〜２７を配してある。Ｎは、携帯電話７にコマンド信号とデータ信号を微弱電波によって送出するためのアンテナである。アンテナＮの配設位置は限定されない。把持部３０に設けても良い。
【００２０】
撮像カメラ２１〜２３は、現場状況を３６０度すべて撮像することが望ましいので、左右の撮像範囲が１２０度以上である広角レンズを使用することが望ましい。撮像カメラ２１〜２３の配設数を三個以上に増やせば、撮影角度のより小さなレンズを使用することも出来る。
【００２１】
マイクロフォン装置２５〜２７は、指向性の高いものよりも広範囲に音を拾うことの出来る小型の汎用品を使用することが望ましい。現場の音を３６０度の範囲で漏れなく収集するためである。現場の音は、犯罪立証の大きな手がかりとなる。例えば電車の音の特定による現場エリアの絞り込み、工事現場の音や街頭演説の音による日時や場所の特定などである。
【００２２】
把持部３０には、複数個、例えば三個の押圧スイッチ３２〜３４を設ける。どのように握っていても、手のひらや指先に力を入れればいずれかひとつの押圧スイッチ３２〜３４をオンにできるようにするためである。緊急時に焦っているときは、ひとつのスイッチだけでは正確な操作が難しいところ、少なくとも三個の押圧スイッチ３２〜３４があれば咄嗟の判断で容易に当該スイッチをオンに出来る可能性が高い。
【００２３】
データ収集部２０および把持部３０のケース体は、例えば樹脂または金属で成形する。把持部３０の表面にはスリップ防止用の吸湿性のある表面化粧材を取り替え可能に設けておくことが望ましい。例えば、麻や綿の布地である。把持部３０の外径は、例えば、小学校低学年の子供が握ったときに三個の押圧スイッチ３２〜３４を押せる大きさ（直径４〜６ｃｍ）とすることが望ましい。
【００２４】
図２は、本実施形態に係る装置の全体構成を例示するブロック図である。すでに述べたように、把持部３０には、三個の押圧スイッチ３２〜３４を設け、データ収集部２０には、略均等間隔をもって三個の撮像カメラ（カメラレンズ）２１〜２３とマイクロフォン装置２５〜２７を配してある。
【００２５】
三個の撮像カメラ（カメラレンズ）２１〜２３とマイクロフォン装置２５〜２７は、三個の押圧スイッチ３２〜３４のいずれか一のオン操作によって駆動制御する。
【００２６】
３７は、撮像カメラ２１〜２３とマイクロフォン装置２５〜２７を駆動するための駆動制御装置である。駆動制御装置３７は、把持部３０に設けても良いし、データ収集部２０に納めても良い。配設する場所は限定されない。
【００２７】
駆動制御装置３７は、予め設定したプログラムに従って撮像カメラ２１〜２３とマイクロフォン装置２５〜２７とを駆動する。例えば、撮像カメラ２１〜２３については、押圧スイッチ３２〜３４のいずれか一のオン操作後、例えば１秒おきに静止画像を連続撮影するよう駆動制御する。マイクロフォン装置２５〜２７については、押圧スイッチ３２〜３４のいずれか一のオン操作後、例えばバッテリー（図示せず）が切れるまで連続録音するよう駆動制御する。
【００２８】
そして、撮像カメラ２１〜２３で撮影した画像データは、画像データ格納部２８に格納し、マイクロフォン装置２５〜２７によって収録した音声データは、音声データ格納部２９に格納する。
【００２９】
画像データ格納部２８および音声データ格納部２９は、図面ではデータ収集部２０に配す構成としてあるが、配設位置は限定されない。把持部３０のケース体内部に設けても良いことは勿論である。
【００３０】
また画像データ格納部２８および音声データ格納部２９に保存したデータは、携帯電話装置７を介してインターネット回線上のデータ保存装置に送出するので、転送処理に伴って逐次データ消去を行うことが出来る。このため、画像データ格納部２８と音声データ格納部２９は、必ずしも大きなメモリ容量を要しない。装置コストを度外視すれば、メモリ容量を大きくするぶんには問題はない。
【００３１】
４０は、画像データ格納部２８および音声データ格納部２９に保存したデータを、携帯電話装置７を経由してインターネット回線上のデータ保存装置５０に送出するデータ送出制御装置である。
【００３２】
データ送出制御装置４０は、アンテナＮを介した微弱電波により携帯電話装置７を起動し、コマンド信号の送出により電話回線をデータ保存装置５０のアドレスに接続した後、画像データ格納部２８および音声データ格納部２９に保存されたデータ（画像データ、音声データ）を速やかに連続転送させる。
【００３３】
転送処理に伴って、画像データ格納部２８と音声データ格納部２９の記録済みデータを逐次消去することが望ましい。容量が限られたメモリを最大限に有効活用するためである。
【００３４】
データの記録を行うデータ保存装置５０は、いわゆるサーバ装置に限らない。送られてくる画像データと音声データを十分に記録できるメモリ容量があるならば、家庭用の汎用ＰＣ（端末装置）でも良いし、父兄が所有している携帯電話装置であっても良い。
【００３５】
以上のように構成した視聴覚データの収集装置によれば、見知らぬ人から声をかけられたような場合に、児童１が把持部３０を握っている手に力を入れて押圧スイッチ３２〜３４の少なくともひとつをオンすることにより、三つの撮像カメラ２１〜２３が一定の撮影間隔（例えば１秒ごと）をもって、連続的な撮影を開始して該データを画像データ格納部２８に保存するとともに、三つのマイクロフォン装置２５〜２７が録音を開始して該データを音声データ格納部２９に保存する。これと前後するタイミングをもって、データ送出制御装置４０が、携帯電話装置７を起動し、電話回線をデータ保存装置５０に接続して、画像音声データを速やかに転送する。
【００３６】
こうして、児童１が危険を感じたときの現場の視聴覚データを、３６０度の全範囲で収集し、インターネット回線上のデータ保存装置５０に記録されるので、犯行に伴って本装置（１０）を破壊しても、データ保存装置５０の記録は消去出来ないことがわかる。このため、犯罪を意図する者は、本装置（１０）を携行している児童１に対しての犯罪行為を高い確率で躊躇し、思いとどまる。
【００３７】
本装置は、児童１が慌てている状態でも、犯罪者の容姿と声紋のデータを外部から消去不能の状態で確実に記録する点で、従来の位置追跡に基づく犯罪の抑止装置以上の実効性が期待できる。
【００３８】
なお、本考案に係る視聴覚データの収集装置１０は以上の実施形態に限定されない。例えば、撮像カメラ２１〜２３は静止画に限らず動画を連続撮影して記録しても良い。これは画像データ格納部２８のメモリ容量および製品コストとの相関で決定することが望ましい。音声も同時記録するので、声紋解析により容姿の特徴が判れば犯人を高い確率で特定できるため、静止画でも十分な場合が多いと考えられる。
【００３９】
静止画と動画はそれぞれ一長一短がある。前記実施形態では、児童１が携行する旨説明したが、本装置は仕事帰りの女性が携行してもよい。そのような場合は、夜間の暗がりでの撮影を可能とするためのストロボ装置（照明装置）を、適宜位置、例えばデータ収集部２０に配しておくことが望ましい。しかしながらストロボ装置（照明装置）を用いるとバッテリの消耗が激しいため、重量が重くなるなど、実用性に支障をきたすおそれがある。実用品としての汎用性を考慮すれば、バッテリ寿命、メモリ容量、重量、コストに鑑み、ストロボ装置を搭載した静止画の連続撮影が最も望ましい。
【００４０】
前記実施形態では、携帯電話装置７を使用する旨説明したが、インターネット回線や電話回線に接続できる通信装置を、本装置の内部に搭載してもよいことはもちろんである。装置の販売コストが上昇す難点はあるが、まず携帯電話装置７を破壊してから犯行に及ぶといった計画的な犯罪行為を防止できる。
【００４１】
本考案に係る装置は、犯罪の抑止以外の使用も可能である。例えば、旅行中の出来事を思い出として残すための視聴覚データの保存が可能である。また、忘年会や新年会など各種の会合時の記録として本装置を用いることもできる。
【００４２】
押圧スイッチは、把持部３０をデザイン変更することによって最小限ひとつにまとめることができる。例えば把持部３０を拳銃の把持部に類似させれば、もちやすく一個のトリガー（押圧スイッチ）でも緊急時のスイッチ操作に応ずることが出来るからである。
【００４３】
誘拐事件のように、犯罪者と被害者が一緒に移動する場合の位置追跡は、従来周知の各種のＧＰＳ装置またはＧＰＳ搭載装置によって実現できる。本装置にもＧＰＳ装置を搭載しても良いし、携帯電話装置７が搭載しているＧＰＳ機能を利用しても良いことは勿論である。また、夜間の犯罪抑止を高めるため、ストロボ装置以外の発光装置、例えば回転又は明滅する発光装置（例えば回転赤色灯等）を搭載させてもよい。また本装置を誤って作動させたときに、作動を解除（禁止）するスイッチを適宜箇所、例えば把持部の底面に設けておくことが望ましい。
【図面の簡単な説明】
【００４４】
【図１】実施形態に係る視聴覚データの収集装置の外観を例示する斜視図である。
【図２】図１に示す装置の全体構成を示すブロック図である。
【図３】図１に示す装置の使用状態を示す図である。
【符号の説明】
【００４５】
１０  視聴覚データの収集装置（本装置）
１  児童
２  手
４  見知らぬ者
７  携帯電話装置（通信装置）
２０  データ収集部
２１〜２３  撮像カメラ
２５〜２７  マイクロフォン装置
２８  画像データ格納部
２９  音声データ格納部
３０  把持部
３２〜３４  押圧スイッチ
３７  駆動制御装置
４０  データ送出制御装置
５０  データ保存装置
Ｎ  アンテナ
【図１】
0003122297.tif 000003
【図２】
0003122297.tif 000004
【図３】
0003122297.tif 000005